(57)【要約】【課題】混合水栓柱だけでなく、屋内から供給される湯の凍結をも防止するようにした湯水混合散水栓装置を提供する。【解決手段】水の流入口、流出口、湯の流入口、湯水の排出口を有する湯水抜栓と、入水口、入湯口、湯水の排出口を有するボデー内を、戸外、地上部のハンドルに操作軸を介して連結され、入水口、入湯口の密封手段および湯水の排出手段を有する弁体が移動して開栓、排出両状態を選択する混合水栓柱とを、湯の流入口と入湯口とで、地中凍結深度以下に延長された給湯器からの湯配管により接続してなる。【選択図】図１
2005256429.tif 000002
【特許請求の範囲】
【請求項１】
水の流入口、流出口、湯の流入口、湯水の排出口を有し、弁箱内をピストンが移動して開栓、排出両状態を選択する湯水抜栓と、入水口、入湯口、湯水の排出口を有するボデー内を、戸外、地上部のハンドルに操作軸を介して連結され、入水口、入湯口の密封手段および湯水の排出手段を有する弁体が移動して開栓、排出両状態を選択する混合水栓柱とを、湯の流入口と入湯口とで、地中凍結深度以下に延長された給湯器からの湯配管により接続したことを特徴とする寒冷地用湯水混合散水栓装置。
【発明の詳細な説明】
【技術分野】
【０００１】
本発明は、庭等に設置され、水と湯が使用できる混合水栓柱に関し、特に、混合水栓柱自体の凍結を防止するだけでなく、屋内から供給される湯の凍結をも防止するようにした寒冷地用湯水混合散水栓装置に関するものである。
【背景技術】
【０００２】
最近、寒くなってきた時、あるいは汚れ落ちの良いことから、屋外での手洗いや洗車等の目的のため、水だけでなく湯も使用できる混合水栓柱が使用され始めてきた。
【０００３】
しかし、北海道、東北等の寒冷地においては、冬期間、水栓柱内の湯水が凍結して使用できない、あるいは管の破損事故につながり、多大な費用がかかるため、一般的にはほとんど普及していなかった。
【特許文献１】特開２００２−３４８９２０号公報
【発明の開示】
【発明が解決しようとする課題】
【０００４】
そのため、寒冷地においても安心して使用できる寒冷地用混合散水栓装置を提供することを目的とするものである。
【課題を解決するための手段】
【０００５】
水の流入口、流出口、湯の流入口、湯水の排出口を有する湯水抜栓と、入水口、入湯口、湯水の排出口を有するボデー内を、戸外、地上部のハンドルに操作軸を介して連結され、入水口、入湯口の密封手段および湯水の排出手段を有する弁体が移動して開栓、排出両状態を選択する混合水栓柱とを、湯の流入口と入湯口とで、地中凍結深度以下に延長された給湯器からの湯配管により接続することを最も主要な特徴とする。
【発明の効果】
【０００６】
ハンドル操作により、容易に混合水栓柱の湯水抜きができ、その上流側の湯配管の凍結が心配される箇所は、湯水抜栓により、随時、湯抜き可能なので、確実に凍結を防止できる湯水混合散水栓装置を提供することが可能となり、寒冷地における快適な暮らしの向上に大きく貢献できるものである。  
【発明を実施するための最良の形態】
【０００７】
本発明は、屋外に設置され、ハンドル操作により湯水抜きできる混合水栓柱と、屋内に設置され、給水および排水、排湯を行う、１本立ちの湯水抜栓とを、地中凍結深度まで延長し、そこで分岐された給湯器からの湯配管により接続することを最良の形態とする。
【実施例１】
【０００８】
図１は本発明の湯水混合散水栓装置の１実施例を示す装置概略図であるが、Ａは屋外に設置される混合水栓柱、Ｂは屋内に設置される湯水抜栓、Ｃは湯水抜栓Ｂに接続される給湯器である。Ｄは地中凍結深度以下に埋設された引き込み管であり、混合水栓柱ＡのボデーＡ１にもうけられた入水口Ａ２手前で分岐され、湯水抜栓Ｂの弁箱Ｂ１にもうけられた水の流入口Ｂ２に接続される。
【０００９】
湯水抜栓Ｂは床下の分岐口Ｂ３で分岐され、水配管Ｅとなって、各室に立ち上げられる。湯水抜栓Ｂの水の流出口Ｂ４と給湯器Ｃを介して接続される湯配管Ｆは地中凍結深度以下まで延長され、分岐継手Ｇにより分岐されて、一端は弁箱Ｂ１の湯の流入口Ｂ５に、他端は混合水栓柱Ａの入湯口Ａ３に接続される。また、湯配管Ｆは床下でも分岐され、水配管Ｅと近い位置で室内に立ち上がっている。
【００１０】
図２に本発明の混合水栓柱Ａの１実施例を示すが、ボデーＡ１の入水口Ａ２と入湯口Ａ３の中間部に湯水の排出口１を穿ち、側壁に水のバイパス路２、湯のバイパス路３をもうけている。なお、図示しないが、湯水の排出口１には、地中の汚水がボデーＡ１に入り込まないよう、逆止弁が取り付けられる。
【００１１】
内部には、上から順に同径の４個のシリンダ４，５，６，７を、湯の流入口Ａ３の上下に４，５が、湯水の排出口１の上下に６，７が位置するよう形成し、その下方、入水口Ａ２の側方に小径シリンダ８をもうけ、上端に弁座９を形成する。
【００１２】
ボデーＡ１の内部には、弁体１０が収容され、弁体１０には、上記シリンダ４，５，６，７をそれぞれ摺動する４個の環状パッキン１１，１２，１３，１４を装着し、下端に、小径シリンダ８を摺動する樹脂製の制水環１５および弁座９に密着する平パッキン１６をビス１７により離脱しないよう装着する。なお、入湯口Ａ３、入水口Ａ２間に湯水の排出口１を配置しているので、開栓状態で環状パッキン１３，１４に事故があったような場合にも、水側に湯が混入する汚染や湯側に水が混入して圧力が上昇し、給湯器の事故を招く、等を効果的に防止することができる。  
【００１３】
弁体１０は操作軸１８により上方に延長され、軸継手１９，軸継手１９に管吊結合された操作桿２０を介して地上部上端のハンドル２１に連結されている。
【００１４】
ボデーＡ１は、外観光沢を有する円形のステンレス薄肉管からなる化粧管２２により操作軸１８と同心状に地上部に延長され、化粧管２２は上端部に３個の横穴を穿ち、対応する位置に収容する分岐弁箱２３を、上記横穴から外方に突出する水の止め弁２４の弁蓋２５、湯の止め弁２４’の弁蓋２５’および図示しないが、図と直角方向にもうけられた放出口によりパッキン２６、２６’を介して化粧管２２に固定するようにしている。
【００１５】
水の止め弁２４は、弁蓋２５と分岐弁箱２３の水側弁座２７に密着する止めパッキン２８および止めハンドル２９を装着する止め弁体３０を有しており、それは湯の止め弁２４’についても全く同様であり、弁蓋２５’、湯側弁座２７’に密着する止めパッキン２８’および止めハンドル２９’を装着する止め弁体３０’を有している。
【００１６】
分岐弁箱２３は、上端に操作桿２０の作動用雄ねじ３１が螺合する作動用金具３２をねじ接続しており、下端に、操作軸１８の左右対象位置に水のバイパス路２と湯のバイパス路３に連通する、銅管製の水の立上管３３と湯の立上管３３’を挿入している。図では立上管３３，３３’は単にＯリングシールをしているが、よりシール性を良くするために、ナットでパッキンを締め付けるようにしても良い。
【００１７】
図は弁体１０の開栓状態を示しており、入水口Ａ２からの水は、水のバイパス路２，水の立上管３３を通って水側弁座２７に達している。同様に、入湯口Ａ３からの湯は、湯のバイパス路３，湯の立上管３３’を通って湯側弁座２７’に達している。この状態から止めハンドル２９，２９’を回転させれば、湯水は放出口から放出される。
【００１８】
通常はこの状態で使用されているが、冬期間、水の凍結が心配なときには、ハンドル２１を回転させると、作動用雄ねじ３１により操作桿２０は作動用金具３２内を回転しながら下降し、同時に、操作桿２０に管吊連結された軸継手１９および軸継手１９に操作軸１８を介して接続された弁体１０は、分岐弁箱２３、ボデーＡ１内を回転することなく下降する。
【００１９】
このとき、制水環１５が小径シリンダ８に密着して入水口Ａ２を閉塞し、環状パッキン１２がシリンダ５に密着して入湯口Ａ３を閉塞した後で、環状パッキン１４がシリンダ７から離脱し、環状パッキン１３もシリンダ６から離脱して、止め弁２４，２４’を開放しておけば、放出口から空気を吸い込みながら水の立上管３３，湯の立上管３３’内の湯水は湯水の排出口１から同時に地中に排出され始め、さらに下降して平パッキン１６が弁座９に密着して排出状態となる。
【００２０】
そのため、管内には水が残らず、北海道のような厳寒地においても、残留水が凍結して管路を閉塞し、水が出てこないとか、凍結して破損するというような事故は生じないことになる。なお、ボデーＡ１部分は、地熱により凍結することがない、地中、凍結深度以下に埋設されていることは勿論である。
【００２１】
図３に本発明の湯水抜栓Ｂの１実施例を示すが、弁箱Ｂ１の水の流入口Ｂ２と湯の流入口Ｂ５間に湯水の排出口３４をもうけており、内部には４個のシリンダ壁３５，３６，３７，３８を、水の流入口Ｂ２の上下に３５，３６が、排出口３４の上下に３７，３８が位置するよう形成している。
【００２２】
３９は、弁箱Ｂ１内に収容されたピストンであり、外周に、上記シリンダ壁３５，３６，３７，３８をそれぞれ摺動する４個のＯリング４０，４１，４２，４３を装着し、内部には、Ｏリング４１，４２間からＯリング４０上方に貫通する排水孔４４を穿っており、その途中に、上向きの逆止弁座４５に密着する、比重が１より小さい樹脂製球弁４６を収容している。なお、湯水の流入口Ｂ５，Ｂ２間に湯水の排出口３４を有しているので、Ｏリング４２，４３から万一リークが生じたような場合にも、湯水の混合による上述した事故は発生しない。また、シリンダ壁３８は他のシリンダ壁よりも小径にしており、その上端をピストン３９の下降時のストッパーとしている。
【００２３】
弁箱Ｂ１は中間に分岐口Ｂ３を有するＴ状継手（図面省略）を介してパイプ４７により上方に延長され、水の流出口Ｂ４を有する流出金具４８に接続されるが、さらにその上端にグランド４９をねじ接続する。
【００２４】
ピストン３９はロッド５０により上方に延長され、流出金具４８の内壁５１を摺動するゴムリング５２を装着したスピンドル継手５３に接続され、その上端に、グランド４９に螺合される雄ねじ５４を有し、操作ハンドル５５を装着するスピンドル５６を回転自在に管吊連結している。
【００２５】
凍結が心配なときは、図の開栓状態から操作ハンドル５５を回すと、雄ねじ５４によりスピンドル５６も回転しながら上昇し、それに伴ってスピンドル継手５３，ロッド５０，ピストン３９は回転せずに上昇し、まずＯリング４０がシリンダ壁３５に密着して水の流入口Ｂ２を閉塞し、その後で、０リング４２，４３がそれぞれシリンダ壁３７，３８から上方に離脱して、水配管Ｅ内の水はパイプ４７を通り、排水孔４４を通って、湯水の排出口３４から地中に排出され、同時に、湯配管Ｆ内の湯も湯の流入口Ｂ５を通って湯水の排出口３４からやはり地中に排出される。
【００２６】
このとき、もし水の排出が終わった後で、湯の排出が始まったようなときにも、球弁４６が逆止弁座４５を閉塞するため、湯がパイプ４７内に上昇して飲み水を汚染するようなこともなく、安全である。
【００２７】
湯水抜栓Ｂは、立上管を別個に有しない、いわゆる１本立ちのものを採用しているため、床に２個の穴を開ける必要がなく、床の有効スペースが広くなる、また、材料代も安く済む、という利点がある。
【００２８】
通常、混合水栓柱Ａは、一定の時期になると湯水抜きをして、冬は使用しないことが多いが、上述したように混合水栓柱Ａ自体の湯水抜きは完全に行うことができ、さらに、上流の湯配管Ｆは地中凍結深度以下に埋設されてから地上に立ち上がるようになっており、いずれにしても立ち上がり部分で凍結する可能性があるときは、他の湯配管も水配管Ｅも凍結する恐れがあるので、湯水抜栓Ｂで湯水抜きしなければならないため、寒冷地においても安心して使用できる湯水混合散水栓装置を提供できるものである。
【００２９】
本発明は上述した実施例に限定されるものではなく、例えば混合水栓柱Ａは、同一出願人による特願２００３−３８４８７５号公報に示したような種々の実施例が実現可能であり、さらに、湯水抜栓Ｂも、弁箱Ｂ１に水の流出口Ｂ４があり、立上管を別個に有する、いわゆる２本立ちのものを採用しても良く、例えば、特願平８−２８４６１１号公報のものなどが該当する。上記のものは、湯と水の排出口を別々にもうけており、一層、湯水の混合に対しての安全策を図っているが、勿論、図３の実施例を設計変更してその様にすることもでき、それは、図２の実施例のものにおいても同様である。
【産業上の利用可能性】
【００３０】
本発明は、住宅の庭だけでなく、公園等、不特定多数の人が使用する公共性の場に設置しても良く、工場内で洗浄用として使用することもでき、いずれにしても寒冷地の快適な生活向上に大きく貢献できるものである。
【図面の簡単な説明】
【００３１】
【図１】本発明の１実施例を示す装置概略図である。（実施例１）
【図２】本発明の混合水栓柱の１実施例を示す、開栓状態における縦断面図である。（実施例１）
【図３】本発明の湯水抜栓の１実施例を示す、開栓状態における縦断面図である。（実施例１）
【符号の説明】
【００３２】
Ａ    混合水栓柱
Ａ１  ボデー
Ａ２  入水口
Ａ３  入湯口
Ｂ    湯水抜栓
Ｂ１  弁箱
Ｂ２  水の流入口
Ｂ４  水の流出口
Ｃ    給湯器
Ｆ    湯配管
１、３４  湯水の排出口
１０  弁体
１８  操作軸
２１  ハンドル
３９  ピストン
【図１】
2005256429.tif 000003
【図２】
2005256429.tif 000004
【図３】
2005256429.tif 000005